(57)【要約】      （修正有）【課題】Ｔ５型ランプをＴ８型ランプ用のソケットに取り付けられる様にした、ランプコネクタを提供する。【解決手段】２つの変換接続装置１１を設置し、各変換接続装置の一側に第１接続ピン１１１及び第２接続ピン１１２を設置し、他側に第１突合せ接合孔１１３及び第２突合せ接合孔１１３を設置し、且つ第１接続ピン及び第２接続ピンは、それぞれ第１突合せ接合孔及び第２突合せ接合孔と電気接続し、２つの変換接続装置の第２突合せ接合孔は、それを導通状態にすることができる導通部材を有し、２つの変換接続装置の第１接続ピン及び第２接続ピンをそれぞれＴ８型ソケットに接続する時、電源がＴ８型ソケットが設置するブースト変圧回路又はスターターに流れないようにし、その機能を短絡させ、第１突合せ接合孔及び第２突合せ接合孔をＴ５型ランプ２に接続して使用できるようにし、Ｔ８型ランプの種類により使用できないことがないようにする。【選択図】図３
0003158469.tif 000002
【実用新案登録請求の範囲】
【請求項１】
２つの変換接続装置１１を設置し、各変換接続装置１の一側にＴ８型ランプＡの第１接点Ａ１１及び第２接点Ａ１２と電気接続できる第１接続ピン１１１及び第２接続ピン１１２を設置し、且つ他側にＴ５型ランプ２の両端のコネクタ２１と電気接続できる第１突合せ接合孔１１３及び第２突合せ接合孔１１４を設置し、２つの変換接続装置１１の第２接続ピンは、それを導通状態にすることができる導通部材１２と接続し、且つ第１接続ピン１１１は、第１突合せ接合孔１１３と電気接続し、第２接続ピン１１２は、第２突合せ接合孔１１４と電気接続するランプコネクタ。
【請求項２】
前記導通部材１２は、２つの変換接続装置１１を導通できる第２接続ピン１１２である請求項１記載のランプコネクタ。
【請求項３】
前記２つの変換接続装置１１の１つ内にＴ５型ランプ２を点灯できる電源管理装置１３を設置し、且つ電源管理装置１３は、Ｔ５ランプ２を流れる電流を一部分流することができるバイパスコンデンサＣ１１、及び点灯時間及び予熱電流を調整できる調整ユニットを有する請求項１記載のランプコネクタ。
【考案の詳細な説明】
【技術分野】
【０００１】
本考案は、ランプコネクタに関し、特に、各種形式のＴ８〜Ｔ１２型までのソケットにＴ８型ランプを使用可能にするランプコネクタに関する。
【背景技術】
【０００２】
科学技術の日進月歩に伴い、照明ランプの製造技術及び製品品質も絶え間なく向上し、最新科学技術研究開発が創設したＴ５型ランプは、その照明効率は、従来のＴ８型ランプの蛍光品質を３０％以上向上させ、その演色性は、日光に近づき、実質的に現在最も環境保護の要求に適合したランプと称され、多くの先進国家が既に幅広く採用している。しかしながら、この新旧型ランプ交換の際、実際に幾つかの問題に直面し、Ｔ５型ランプ及びＴ８型ランプの長さの規格が異なり、例えば、Ｔ５型/２８Ｗランプは、Ｔ８型/４０Ｗランプに比べて約６０ｍｍ短く、且つ両者の入電端の接続ピンの距離も異なり、即ち、消費者は、Ｔ５型ランプを直接元のＴ８型ソケット上に取り付けることができず、ソケットも併せて新たに交換する必要があり、元々損壊していないソケットにとって、更新する為に資源上の浪費を招き、特に、大型な売り場におけるランプ使用数量は、往々にして数千組という多さであり、それをまだ損壊していないソケットと併せて交換することが招く浪費は、相当なものである。
【０００３】
従って、現在のＴ５型ランプの取り付けにおいて直面する問題を如何に解決し、Ｔ５型ランプをＴ８型ランプ用のソケットに取り付け可能にするかは、関連業界が研究発展を欲する課題である。
【先行技術文献】
【特許文献】
【０００４】
【特許文献１】登録実用新案第３１５４５７０号
【考案の概要】
【考案が解決しようとする課題】
【０００５】
本考案の主要な目的は、導通部材を利用し、２つの変換接続装置の第２突合せ接合孔に電気接続し、変換接続装置をＴ８型ソケットに接続させる時、Ｔ５型ランプを使用することができ、且つ各種Ｔ８型ソケットに適用し、Ｔ８型ソケットの種類の違いにより使用できないということがないようにすることにある。
【課題を解決するための手段】
【０００６】
上記の目的を達成する為、本考案のランプコネクタは、２つの変換接続装置を設置し、各変換接続装置の一側に第１接続ピン及び第２接続ピンを設置し、他側に第１突合せ接合孔及び第２突合せ接合孔を設置し、且つ第１接続ピン及び第２接続ピンは、それぞれ第１突合せ接合孔及び第２突合せ接合孔と電気接続し、２つの変換接続装置の第２接続ピンは、それを通導状態にすることができる導通部材を接続し、２つの変換接続装置の第１接続ピン及び第２接続ピンは、Ｔ８型ソケットにそれぞれ接続する時、Ｔ８型ソケットが設置するブースト変圧回路又はスターター機能を失効させ、第１突合せ接合孔及び第２突合せ接合孔をＴ５型ランプに使用させることができる。
本考案は下記の特徴を有する。
（１）２つの変換接続装置１１を設置し、各変換接続装置１の一側にＴ８型ランプＡの第１接点Ａ１１及び第２接点Ａ１２と電気接続できる第１接続ピン１１１及び第２接続ピン１１２を設置し、且つ他側にＴ５型ランプ２の両端のコネクタ２１と電気接続できる第１突合せ接合孔１１３及び第２突合せ接合孔１１４を設置し、２つの変換接続装置１１の第２接続ピンは、それを導通状態にすることができる導通部材１２と接続し、且つ第１接続ピン１１１は、第１突合せ接合孔１１３と電気接続し、第２接続ピン１１２は、第２突合せ接合孔１１４と電気接続するランプコネクタ。
（２）前記導通部材１２は、２つの変換接続装置１１を導通できる第２接続ピン１１２である（１）記載のランプコネクタ。
（３）前記２つの変換接続装置１１の１つ内にＴ５型ランプ２を点灯できる電源管理装置１３を設置し、且つ電源管理装置１３は、Ｔ５ランプ２を流れる電流を一部分流することができるバイパスコンデンサＣ１１、及び点灯時間及び予熱電流を調整できる調整ユニットを有する（１）記載のランプコネクタ。
【考案の効果】
【０００７】
上記のように、本考案は、Ｔ５型ランプをＴ８型ソケットに使用し、進歩性及び実用性を増加する効果を有し、その鍵となる技術は、以下にある：
（一）本考案は、導通部材１２を利用し、２つの接続変換装置１１の第２接続ピン１１２に電気接続し、電源Ａ２がブースト変圧回路Ａ５又はスターターＡ３を流れないようにし、その機能に短絡を発生させ、電源管理装置１３を利用し、Ｔ５型ランプ２を点灯し、Ｔ８型ソケットＡにもＴ５型ランプ２を取り付け可能にし、省エネルギーを達成させ、照明度を向上し、これにより、本考案が各種Ｔ８型ソケットＡに適用可能となり、Ｔ８型ソケットＡの種類の違いにより使用できないということがない。
（二）本考案は、電源管理装置１３が設置する調整ユニット１３１を利用し、点灯時間及び予熱電流を調整し、予熱ソフトスタートの特性により、ランプのフィラメントを十分な温度に到達させた後、点灯をトリガする動作を行なわせ、ランプの使用寿命を延長し、且つ予熱時間及び予熱電流が調整可能な利点を有し、低温、異なる気候、メーカーのランプに適応することができる。
（三）本考案は、バイパスコンデンサＣ１１を利用し、Ｔ５ランプ２を流れる電流をアースＥ−に部分的にバイパスし、Ｔ５型ランプ２の電流が過度に大きくなり、電力の無限増加を招き、第１トランジスタＴＲ１及び第２トランジスタＴＲ２の損壊の問題を招くことを回避する。
【図面の簡単な説明】
【０００８】
【図１】Ｔ８型ソケットの回路説明図（１）である。
【図２】Ｔ８型ソケットの回路説明図（２）である。
【図３】本考案の分解説明図である。
【図４】本考案の組み合わせ説明図である。
【図５】本考案の電源管理装置の回路図である。
【図６】本考案の電源管理装置のもう１つの実施方式の回路図である。
【図７】本考案の電源管理装置の更にもう１つの実施方式の回路図である。
【図８】本考案のもう１つの電気接続の組み合わせ説明図である。
【考案を実施するための形態】
【０００９】
図１及び図２を参照し、図１から分かるように、該Ｔ８型ソケットＡは、２組の電気コネクタＡ１を設置し、各電気コネクタＡ１は、第１接点Ａ１１及び第２接点Ａ１２を有し、且つ２つの第１接点Ａ１１が電源Ａ２と電気接続するものであり、２つの第２接点Ａ１２は、スターターＡ３（電子式又は従来式）と電気接続するものであり、電源Ａ２及び第１接点Ａ１１の間に電子バラストＡ４を直列させ、この種のＴ８型ソケットＡは、スターターＡ３を利用し、放電を発生し、Ｔ８型ランプＢを導通し、電子バラストＡ４が発生する高圧は、Ｔ８型ランプＢの電極が発生する十分な電子にＴ８型ランプＢ内で放電させ、電子バラストＡ４が重複放電することがない。更に、図２に示すように、この種のＴ８型ソケットＡは、２組の電気コネクタＡ１を有し、各電器コネクタＡ１は、第１接点Ａ１１及び第２接点Ａ１２を有し、且つ２つの第１接点Ａ１１は、バラスト回路Ａ６を介して電源Ａ２に接続し、２つの第２接点Ａ１２は、ブースト変圧回路Ａ５を介してＴ８型ランプＢを導通し、バラスト回路Ａ６が発生する十分高圧な電子がＴ８型ランプＢ内で放電後、ブースト変圧回路Ａ５が動作を停止する。
【００１０】
図１〜図４を参照し、図３及び図４から分かるように、本考案のランプコネクタ１は、２つの変換接続装置１１を設置し、各変換接続装置１１の一側に第１接続ピン１１１及び第２接続ピン１１２を設置し、且つ他側に第１突合せ接合孔１１３及び第２突合せ接合孔１１４を設置し、第１接続ピン１１１は、第１突合せ接合孔１１３と電気接続し、第２接続ピン１１２は、第２突合せ接合孔１１４と電気接続し、導通部材１２を利用し、２つの変換接続装置１１の第２接続ピン１１２に電気接続し、２つの変換接続装置１１のうちの１つ内に電源管理装置１３を設置する。
【００１１】
先ず、Ｔ８型〜Ｔ１２型のランプ及びソケットは、同一であるので、本考案の説明は、Ｔ８ソケットＡにより説明を行うが、本考案がＴ８型ソケットＡにのみ使用可能であると限定するものではなく、Ｔ８〜Ｔ１２型ランプに広く用いることができることであることをここで先に説明し、Ｔ５型ランプ２（２８Ｗ）の長さがＴ８型ランプＢ（４０Ｗ）より約６０ｍｍ短いので、本考案のランプコネクタ１は、この長さの差により、Ｔ８型ランプソケットＡに接続して使用することができ、本考案の使用時、先ず２つの返還接続装置１１をそれぞれＴ８型ソケットＡの２つのコネクタＡ１にそれぞれ接続し、変換接続装置１１の第１接続ピン１１１及び第２接続ピン１１２をそれぞれ電気コネクタＡ１の第１接点Ａ１１及び第２接点Ａ１２に電気接続し、続いてＴ５型ランプ２の両端のコネクタ２１をそれぞれ２つの変換接続装置１１の第１突合せ接合孔１１３及び第２突合せ接合孔１１４と電気接続を呈させるだけでよい。
【００１２】
しかしながら、導通部材１２は、２つの変換接続装置１１の第２接続ピン１１２を電気接続し、２つの第２突合せ接合孔１１４は、更にＴ８型ソケットＡの第２接点Ａ１２と電気接続し、これにより２つの第２接点Ａ１２が同様に導通を形成するので、Ｔ８ソケットＡのブースト変圧回路Ａ５又はスターターＡ３の機能を失効させることができ、これにより、電源Ａ２に変換接続装置１１からＴ５型ランプ２のコネクタ２１に進入させ、Ｔ５型ランプ２を点灯し、Ｔ８型ソケットＡにもＴ５型ランプ２を取り付け可能にし、エネルギー源の節約、照明度の向上を達成することができる。
【００１３】
続いて、該導通部材１２は、主にＴ８型ソケットＡのブースト変圧回路Ａ５又はスターターＡ３の機能を失効させる為のものであるので、変換接続装置１１の２つの変換接続装置１１の第２接続ピン１１２及び第２突合せ接合孔１１を短絡すれば、導通しない状態を形成し、スターターＡ３に対して同様の効果を発生することができるが、この種の方式は、ブースト変圧回路Ａ５のＴ８型ソケットＡに用いることができないので、本考案は、導通部材１２の方式を利用し、異なるＴ８型ソケットＡに適用することができる。
【００１４】
図１、図２及び図５において、図から分かるように、変換接続装置１１の電流は、電源管理装置１３のブリッジ式レギュレータを経て集積回路ＩＣ、第１トランジスタＴＲ１及び第２トランジスタＴＲ２に電源を供給し、Ｔ５型ランプ２を点灯し、また、図中のＣ１０は、本考案の起動コンデンサであり、Ｅ-は、全ての回路を組み合わせたアース線であり、高周波電流の共通帰線でもあり、起動コンデンサＣ１０の通路でもあり、Ｃ１１は、バイパスコンデンサであり、該起動コンデンサＣ１０の通路は、電源管理装置１３のアース電位Ｅ-に基づくものであり、起動コンデンサＣ１０から来る高周波高圧電流は、アース線Ｅ-の上に載り、ブリッジ式レギュレータを経由してパルス直流を形成し、即ち、供給回路上に同時に正常な電源電流及びパルス直流共通線を有しループを形成し、電源Ａ２は、Ｔ８型ソケットＡの電子バラストＡ４又はバラスト回路Ａ６を介してＴ５ランプ２に対して電源供給する。続いて、バイパスコンデンサＣ１１によりＴ５ランプ２を経た電流の一部の電流をアース線Ｅ−の上にバイパスし、このように、Ｔ５型ランプ２を流れる電流が過度に大きくなり、Ｔ５型ランプ２内のフィラメントのみを燃やし、電子を発出できなくし、電力が無限に増加し、第１トランジスタＴＲ１及び第２トランジスタＴＲ２が損壊する問題を発生させることを回避することができる。
【００１５】
更に、本考案の電源管理装置１３は、一部に点灯時間及び予熱電流を調整できる調整ユニット１３１を設置し、その具体的動作は、電流を抵抗Ｒ２に通過させ、電解コンデンサＣ５に充電を行い、該電解コンデンサＣ５の所定電圧に所定のレギュレータダイオードＺ１を電圧崩壊させる時、レギュレータダイオードＺ１が第３トランジスタを導通するようにし、コンデンサＣ６のアースに対する短絡を構成し、コンデンサＣ７に作用を起こさせず、コンデンサ容量を高くし、予熱周波数を点灯周波数のトリガ点まで下降させ、点灯させ、そのうち、点灯時間の長さは、抵抗Ｒ２の抵抗値の大きさにより決定され、抵抗Ｒ２の抵抗値が大きいほど、必要な点灯時間が長くなる（寒帯地区に適用）。点灯の周波数は、コンデンサＣ６がコンデンサＣ７に直列した容量の大きさにより決定されることができる。この回路設計の特徴は、予熱ソフトスタートによりランプのフィラメントに十分な温度を達成させた後、点灯をトリガする動作を行い、ランプの使用寿命を延長し、且つ予熱時間及び予熱電流が調整可能である利点を有し、低温、異なる気候、メーカーのランプに適応することができる。
【００１６】
図６及び図７において、図中から見て分かるように、図６及び図７が開示する回路及び図４の差異は、点灯時間及び予熱電流を調整可能な調整ユニット１３１部分を省略していることであり、そのうち、図５に示すのは、定電流形態であり、図６に示すのは、定電圧形態であり、異なる顧客の需要に応じることができる。
【００１７】
図４及び図８に示すように、２つの変換接続装置１１の第２接続ピン１１２及び第２突合せ接合孔１１４が電気接続を呈するので、導通部材１２の両端は、それぞれ、第２接続ピン１１２に接続するか第２接続ピン１１２が第２突合せ接合孔１１４に接続することは、何れも同一の効果を有する。
【符号の説明】
【００１８】
Ａ  Ｔ８型ソケット
Ａ１  電気コネクタ
Ａ１１  第１接点
Ａ１２  第２接点
Ａ２  電源
Ａ３  スターター
Ａ４  電子バラスト
Ａ５  ブースト変圧回路
Ａ６  バラスト回路
Ｂ  Ｔ８型ランプ
１  ランプコネクタ
１１  変換接続装置
１１１  第１接続ピン
１１２  第２接続ピン
１１３  第１突合せ接合孔
１１４  第２突合せ接合孔
１２  導通部材
１３  電源管理装置
１３１  調整ユニット
２  Ｔ５型ランプ
２１  コネクタ
【図１】
0003158469.tif 000003
【図２】
0003158469.tif 000004
【図３】
0003158469.tif 000005
【図４】
0003158469.tif 000006
【図５】
0003158469.tif 000007
【図６】
0003158469.tif 000008
【図７】
0003158469.tif 000009
【図８】
0003158469.tif 000010